(57)【要約】【課題】曲げ耐力及び剪断耐力が従来よりも改善されたコンクリート杭を提供する。【解決手段】コンクリート杭は、コンクリートを含み、中空部を有する円筒形状の杭本体部と、杭本体部の中空部に配置され、容積可変の液体充填室の少なくとも一部を区画する膜と、を備え、液体充填室に液体が充填されることにより、膜が杭本体部の内周面に接触可能である。【選択図】  図１
2018017098.tif 000002
【特許請求の範囲】
【請求項１】
コンクリートを含み、中空部を有する円筒形状の杭本体部と、
前記杭本体部の中空部に配置され、容積可変の液体充填室の少なくとも一部を区画する膜と、を備え、
前記液体充填室に液体が充填されることにより、前記膜が前記杭本体部の内周面に接触可能である
ことを特徴とするコンクリート杭。
【請求項２】
前記膜は、袋の一部によって構成されている
ことを特徴とする請求項１に記載のコンクリート杭。
【請求項３】
前記杭本体部の両端にそれぞれ取り付けられた環形状の一対の端板と、
前記一対の端板間を前記杭本体部の中空部を通って延びる連通管と、
前記杭本体部の一端に取り付けられた前記端板の内縁と前記連通管の外周面との間の開口を塞ぐ仕切り部材と、
を更に備え、
前記袋は、前記連通管の外周面と前記杭本体部の内周面との間の空間に配置されている
ことを特徴とする請求項２に記載のコンクリート杭。
【請求項４】
前記袋は、伸縮性を有する材料によって構成され、
前記杭本体部の他端に取り付けられた前記端板の内縁と前記連通管の外周面との間の開口を少なくとも部分的に塞ぐ押さえ部材を更に備える
ことを特徴とする請求項３に記載のコンクリート杭。
【請求項５】
前記連通管は、前記中空部の中央を通っており、
前記袋は、前記連通管が挿通される孔を有し、前記液体充填室に液体が充填されることにより、前記連通管を囲むようにチューブ形状に膨張可能である
ことを特徴とする請求項３又は４に記載のコンクリート杭。
【請求項６】
複数の前記袋を備え、
前記複数の袋の各々には、前記複数の袋を相互に連結するための連結手段が設けられ、
前記連結手段は、前記複数の袋の液体充填室を相互に連通させながら、前記複数の袋を連結可能である
ことを特徴とする請求項２乃至５の何れか１項に記載のコンクリート杭。
【請求項７】
前記連結手段は、
相互に連結される袋のうち一方の袋に設けられた第１連結部と、
相互に連結される袋の他方の袋に設けられた第２連結部と、
を含み、
前記第１連結部は、
中空円筒形状の第１円筒部と、
前記第１円筒部の一端に一体に設けられ、前記一方の袋の開口縁に取り付けられた第１鍔部と、
前記第１円筒部の外周面に一体に設けられた雄ねじ部と、
を有し、
前記第２連結部は、
中空円筒形状の第２円筒部と、
前記第２円筒部の一端に一体に設けられ、前記他方の袋の開口縁に取り付けられた第２鍔部と、
前記第２円筒部の内周面に一体に設けられ、前記雄ねじ部と螺合可能な雌ねじ部と、
を有し、
前記第１円筒部は、前記第１鍔部から前記一方の袋の外側に向かって延在し、
前記第２円筒部は、前記第２鍔部から前記他方の袋の内側に向かって延在している
ことを特徴とする請求項６に記載のコンクリート杭。
【請求項８】
前記杭本体部の両端にそれぞれ取り付けられた環形状の一対の端板と、
前記一対の端板間を前記杭本体部の中空部の中心を通って延びる連通管と、
前記連通管の両端にそれぞれ取り付けられ、前記端板の内縁と前記連通管の外周面との間の開口を閉塞する一対のカラー部と、
を更に備え、
前記膜は、前記一対のカラー部同士の間に渡って延在し、
前記一対のカラー部、前記連通管及び前記膜によって前記液体充填室が区画されている
ことを特徴とする請求項１に記載のコンクリート杭。
【発明の詳細な説明】
【技術分野】
【０００１】
本開示はコンクリート杭に関する。
【背景技術】
【０００２】
既製のコンクリート杭は、一般的に、中空の円筒形状を有している。コンクリート杭には、外殻鋼管付きコンクリート杭（ＳＣ杭）と称されるものもあり、ＳＣ杭は、コンクリートを含み、中空部を有する円筒形状の杭本体部と、杭本体部の外周面を覆う外殻鋼管とによって構成されている（例えば特許文献１参照）。
【先行技術文献】
【特許文献】
【０００３】
【特許文献１】特許第５２６５４４７号公報
【発明の概要】
【発明が解決しようとする課題】
【０００４】
中空の円筒形状のコンクリート杭にあっては、曲げモーメントや剪断力が作用して変形したときに、杭本体部の内周面からコンクリートが剥落して、曲げ耐力や剪断耐力が急激に低下しやすいという問題がある。この問題は、通常のコンクリート杭のみならず、ＳＣ杭でも生じ得るものである。
上述の事情に鑑みて、本発明の少なくとも一実施形態の目的は、曲げ耐力及び剪断耐力が従来よりも改善されたコンクリート杭を提供することにある。
【課題を解決するための手段】
【０００５】
（１）本発明の少なくとも一実施形態に係るコンクリート杭は、
コンクリートを含み、中空部を有する円筒形状の杭本体部と、
前記杭本体部の中空部に配置され、容積可変の液体充填室の少なくとも一部を区画する膜と、を備え、
前記液体充填室に液体が充填されることにより、前記膜が前記杭本体部の内周面に接触可能である。
【０００６】
上記構成（１）によれば、液体が充填された液体充填室の少なくとも一部を区画する膜が杭本体部の内周面に接している。このため、杭本体部に曲げモーメントや剪断力が作用して杭本体部が変形したときに、膜によって、杭本体部の内周面から杭本体部の一部が剥落することが抑制される。この結果として、上記構成（１）によれば、曲げ耐力及び剪断耐力を従来よりも改善することができる。
【０００７】
（２）幾つかの実施形態では、上記構成（１）において、
前記膜は、袋の一部によって構成されている。
【０００８】
上記構成（２）によれば、膜が袋の一部によって構成されており、袋によって液体充填室を構成可能である。このため、上記構成（２）によれば、簡単な構成にて、曲げ耐力及び剪断耐力を従来よりも改善することができる。
【０００９】
（３）幾つかの実施形態では、上記構成（２）において、
前記杭本体部の両端にそれぞれ取り付けられた環形状の一対の端板と、
前記一対の端板間を前記杭本体部の中空部を通って延びる連通管と、
前記杭本体部の一端に取り付けられた前記端板の内縁と前記連通管の外周面との間の開口を塞ぐ仕切り部材と、
を更に備え、
前記袋は、前記連通管の外周面と前記杭本体部の内周面との間の空間に配置されている。
【００１０】
上記構成（３）によれば、ソイルセメントが溜まっている杭孔に仕切り部材側からコンクリート杭を沈めたときに、仕切り部材によって中空部にソイルセメントが流入することを防止しながら、連通管を通じてソイルセメントを上方に向かって流すことができる。このため、ソイルセメントが杭孔に溜まっていても、ソイルセメントによって杭本体部の中空部が満たされることが防止される。この結果として、コンクリート杭を杭孔に沈めた後に、液体充填室に液体を充填し、膜を杭本体部の内周面に接触させることができる。
【００１１】
（４）幾つかの実施形態では、上記構成（３）において、
前記袋は、伸縮性を有する材料によって構成され、
前記杭本体部の他端に取り付けられた前記端板の内縁と前記連通管の外周面との間の開口を少なくとも部分的に塞ぐ押さえ部材を更に備える。
【００１２】
上記構成（４）によれば、袋が伸縮性を有する材料によって構成されていても、コンクリート杭の両端に位置する仕切り部材及び押さえ部材によって、袋が端板からはみ出ることが防止される。
【００１３】
（５）幾つかの実施形態では、上記構成（３）又は（４）において、
前記連通管は、前記中空部の中央を通っており、
前記袋は、前記連通管が挿通される孔を有し、前記液体充填室に液体が充填されることにより、前記連通管を囲むようにチューブ形状に膨張可能である。
【００１４】
上記構成（５）によれば、杭本体部の径方向にて中空部の中央に連通管が配置されているので、連通管によって阻害されることなく、杭本体部の周方向全域に渡って、杭本体部の内周面に対し、袋の一部を構成している膜を接触させることができる。
【００１５】
（６）幾つかの実施形態では、上記構成（２）乃至（５）の何れか１つにおいて、
複数の前記袋を備え、
前記複数の袋の各々には、前記複数の袋を相互に連結するための連結手段が設けられ、
前記連結手段は、前記複数の袋の液体充填室を相互に連通させながら、前記複数の袋を連結可能である。
【００１６】
上記構成（６）によれば、連結手段によって複数の袋を連結することによって、杭本体部の軸線方向にて必要な長さだけ、杭本体部の内側に袋を配置し、杭本体部の内周面に対し、袋の一部を構成している膜を接触させることができる。
【００１７】
（７）幾つかの実施形態では、上記構成（６）において、
前記連結手段は、
相互に連結される袋のうち一方の袋に設けられた第１連結部と、
相互に連結される袋の他方の袋に設けられた第２連結部と、
を含み、
前記第１連結部は、
中空円筒形状の第１円筒部と、
前記第１円筒部の一端に一体に設けられ、前記一方の袋の開口縁に取り付けられた第１鍔部と、
前記第１円筒部の外周面に一体に設けられた雄ねじ部と、
を有し、
前記第２連結部は、
中空円筒形状の第２円筒部と、
前記第２円筒部の一端に一体に設けられ、前記他方の袋の開口縁に取り付けられた第２鍔部と、
前記第２円筒部の内周面に一体に設けられ、前記雄ねじ部と螺合可能な雌ねじ部と、
を有し、
前記第１円筒部は、前記第１鍔部から前記一方の袋の外側に向かって延在し、
前記第２円筒部は、前記第２鍔部から前記他方の袋の内側に向かって延在している。
【００１８】
上記構成（７）によれば、第１連結部の第１円筒部が第１鍔部から袋の外側に向かって延び、第２連結部の第２円筒部が第２鍔部から袋の内側に向かって延びているので、第１連結部の雄ねじ部と第２連結部の雌ねじ部を螺合したときに、第１連結部の第１鍔部と第２連結部の第２鍔部との間の隙間を小さくすることができる。すなわち、２つの袋を連結したときに、２つの袋の隙間を小さくすることができる。このため、複数の袋を用いた場合でも、杭本体部の内周面に対し、袋の一部を構成する膜を隙間無く接触させることができる。
【００１９】
（８）幾つかの実施形態では、上記構成（１）において、
前記杭本体部の両端にそれぞれ取り付けられた環形状の一対の端板と、
前記一対の端板間を前記杭本体部の中空部の中心を通って延びる連通管と、
前記連通管の両端にそれぞれ取り付けられ、前記端板の内縁と前記連通管の外周面との間の開口を閉塞する一対のカラー部と、
を更に備え、
前記膜は、前記一対のカラー部同士の間に渡って延在し、
前記一対のカラー部、前記連通管及び前記膜によって前記液体充填室が区画されている。
【００２０】
上記構成（８）によれば、ソイルセメントが溜まっている杭孔にコンクリート杭を沈めたときに、カラー部によって中空部にソイルセメントが流入することを防止しながら、連通管を通じてソイルセメントを上方に向かって流すことができる。このため、ソイルセメントが杭孔に溜まっていても、ソイルセメントによって杭本体部の中空部が満たされることが防止される。この結果として、コンクリート杭を杭孔に沈めた後に、液体充填室に液体を充填し、膜を杭本体部の内周面に接触させることができる。
また、杭本体部の径方向にて中空部の中央に連通管が配置されているので、連通管によって阻害されることなく、杭本体部の周方向全域に渡って、杭本体部の内周面に対し、膜を接触させることができる。
【発明の効果】
【００２１】
本発明の少なくとも一実施形態によれば、曲げ耐力及び剪断耐力が従来よりも改善されたコンクリート杭が提供される。
【図面の簡単な説明】
【００２２】
【図１】本発明の第１実施形態に係る外殻鋼管付きコンクリート杭の概略的な縦断面図である。
【図２】図１中のＩＩ−ＩＩ線に沿う概略的な横断面図である。
【図３】図１の外殻鋼管付きコンクリート杭に適用可能な袋を概略的に示す斜視図である。
【図４】本発明の第２実施形態に係る外殻鋼管付きコンクリート杭の概略的な縦断面図である。
【図５】図４中のＶ−Ｖ線に沿う概略的な断面図である。
【図６】本発明の第３実施形態に係る外殻鋼管付きコンクリート杭を概略的に示す縦断面図である。
【図７】本発明の第４実施形態に係る外殻鋼管付きコンクリート杭を概略的に示す縦断面図である。
【図８】図７中のＶＩＩＩ−ＶＩＩＩ線に沿う概略的な断面図である。
【図９】図７の外殻鋼管付きコンクリート杭に適用可能な袋を概略的に示す斜視図である。
【図１０】本発明の第５実施形態に係る外殻鋼管付きコンクリート杭に適用可能な袋を概略的に示す斜視図である。
【図１１】本発明の第６実施形態に係る外殻鋼管付きコンクリート杭を概略的に示す縦断面図である。
【図１２】図１１中のＸＩＩ−ＸＩＩ線に沿う概略的な断面図である。
【図１３】図１１の外殻鋼管付きコンクリート杭に適用可能な膜を有する容器を概略的に示す斜視図である。
【図１４】本発明の第７実施形態に係るプレストレストコンクリート杭の概略的な縦断面図である。
【発明を実施するための形態】
【００２３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２４】
〔第１実施形態〕
図１は、本発明の第１実施形態に係る外殻鋼管付きコンクリート杭（以下、ＳＣ杭とも称する）１ａの構成を概略的示す縦断面図である。図２は、図１中のＩＩ−ＩＩ線に沿う概略的な断面図である。図３は、ＳＣ杭１ａに適用された袋３ａを概略的に示す斜視図である。
【００２５】
図１に示したように、ＳＣ杭１ａは、杭本体部５と、外殻鋼管７と、一対の端板９と、袋３ａとを有している。
杭本体部５は、コンクリートによって構成されている。杭本体部５は、円筒形状を有し、軸線方向に延びる中空部１１を有する。中空部１１は、円柱形状の空洞であり、杭本体部５を貫通している。
【００２６】
外殻鋼管７は、円筒形状を有しており、杭本体部５の外周面を覆っている。外殻鋼管７は、金属によって構成され、例えば、一般構造用圧延鋼材によって構成されている。外殻鋼管７は、例えば、３００ｍｍ以上１５００ｍｍ以下の外径を有し、外殻鋼管７の外径は、ＳＣ杭１ａの外径に相当する。また、外殻鋼管７は、例えば、４．５ｍｍ以上２５ｍｍ以下の肉厚を有する。
【００２７】
一対の端板９は、それぞれ環形状を有し、杭本体部５の両端面を覆っている。ただし、端板９は中空部１１に連なる開口を有しており、中空部１１は端板９によって覆われていない。端板９は、金属によって構成され、例えば、一般構造用圧延鋼材によって構成されている。一対の端板９は、外殻鋼管７の両端にそれぞれ溶接されている。
【００２８】
袋３ａは、杭本体部５の中空部１１に配置され、杭本体部５の内周面１３に接している。
より詳しくは、袋３ａは、液体、好ましくは水が充填される容積可変の液体充填室１５を区画している。袋３ａは、自身の内部、即ち液体充填室１５に液体が充填されることにより膨張し、杭本体部５の内周面１３に接している。つまり、袋３ａは、自身の一部として、液体充填室１５に液体が充填されることにより杭本体部５の内周面１３に接する変形可能な膜１７ａを有している。袋３ａは、例えば、非伸縮性の防水性を有する材料、例えば防水性の布等、によって構成され、大気圧、好ましくは大気圧よりも高圧の液体が袋３ａに充填される。
なお、袋３ａには、液体を充填するための注入口１９が設けられ、注入口１９は蓋２１によって閉塞可能である。また、袋３ａが非伸縮性の材料で構成されている場合、液体の充填により液体充填室１５の容積が拡大可能なように、液体充填前の袋３ａは弛みを有する。
【００２９】
上述した第１実施形態のＳＣ杭１ａによれば、液体が充填された液体充填室１５の少なくとも一部を区画する膜１７ａが杭本体部５の内周面１３に接している。このため、杭本体部５に曲げモーメントや剪断力が作用して杭本体部５が変形したときに、膜１７ａによって、杭本体部５の内周面１３から杭本体部５の一部が剥落することが抑制される。この結果として、上述した第１実施形態のＳＣ杭１ａによれば、曲げ耐力及び剪断耐力を従来よりも向上させることができる。
【００３０】
そして、第１実施形態のＳＣ杭１ａでは、好ましい態様として、膜１７ａが袋３ａの一部によって構成されており、袋３ａによって液体充填室１５を構成可能である。このため、上記構成によれば、簡単な構成にて、曲げ耐力及び剪断耐力を従来よりも向上させることができる。
【００３１】
〔第２実施形態〕
図４は、本発明の第２実施形態に係るＳＣ杭１ｂの構成を概略的示す縦断面図である。図５は、図４中のＶ−Ｖ線に沿う概略的な断面図である。
なお、第２実施形態以降の説明では、先行する実施形態と異なる構成について主に説明し、先行する実施形態にて説明した構成と同一又は類似の形状又は機能を有する構成については、図中に同一の符号を付して説明を省略又は簡略化する。
【００３２】
図４及び図５に示したように、ＳＣ杭１ｂは、ＳＣ杭１ａと比べたときに、連通管２３と、仕切り部材２５とを更に備えている。
連通管２３は、一対の端板９，９間を杭本体部５の中空部１１を通って延びている。連通管２３は、例えば金属や樹脂によって構成されている。
仕切り部材２５は、杭本体部５の一端に取り付けられた端板９の内縁と連通管２３の外周面との間の開口を塞ぐように配置されている。仕切り部材２５は、例えば金属や樹脂によって構成されている。
そして、袋３ａは、中空部１１において、連通管２３の外周面と杭本体部５の内周面１３との間の空間に配置されている。
【００３３】
上述した第２実施形態のＳＣ杭１ｂによれば、ソイルセメントが溜まっている杭孔に仕切り部材２５側からＳＣ杭１ｂを沈めたときに、仕切り部材２５によって中空部１１にソイルセメントが流入することを防止しながら、連通管２３を通じてソイルセメントを上方に向かって流すことができる。このため、ソイルセメントが杭孔に溜まっていても、ソイルセメントによって杭本体部５の中空部１１が満たされることが防止される。この結果として、ＳＣ杭１ｂを杭孔に沈めた後に、液体充填室１５に液体を充填し、膜１７ａを杭本体部５の内周面１３に接触させることができる。
【００３４】
〔第３実施形態〕
図６は、本発明の第３実施形態に係るＳＣ杭１ｃの構成を概略的示す縦断面図である。
ＳＣ杭１ｃは、袋３ｂが伸縮性を有する材料によって構成され、押さえ部材２７を更に備えている点において、ＳＣ杭１ｂと異なっている。
袋３ｂは、例えばゴムによって構成され、押さえ部材２７は、杭本体部５の他端に取り付けられた端板９の内縁と連通管２３の外周面との間の開口を少なくとも部分的に塞いでいる。押さえ部材２７は、例えば、金属や樹脂によって構成されている。
【００３５】
上述した構成によれば、袋３ｂが伸縮性を有する材料によって構成されていても、ＳＣ杭１ｃの両端に位置する仕切り部材２５及び押さえ部材２７によって、袋３ｂが端板９，９の開口からはみ出ることが防止される。
このため、大気圧よりも高圧の液体を液体充填室に充填した場合に、袋３ｂが伸張して圧力が逃げることを防止することができ、杭本体部５の内周面に対し、袋３ｂの一部を構成している膜１７ｂを高圧にて接触させることができる。
【００３６】
〔第４実施形態〕
図７は、本発明の第４実施形態に係るＳＣ杭１ｄの構成を概略的示す縦断面図である。図８は、図７中のＶＩＩＩ−ＶＩＩＩ線に沿う概略的な断面図である。図９は、ＳＣ杭１ｄに適用された袋３ｃを概略的に示す斜視図である。
【００３７】
ＳＣ杭１ｄは、杭本体部５の径方向にて連通管２３が中空部１１の中央を通っており、連通管２３が挿通される孔２９を袋３ｃが有する点において、ＳＣ杭１ｂと異なっている。袋３ｃは、自身が区画する液体充填室１５に液体が充填されることにより、連通管２３を囲むようにチューブ形状に膨張可能であり、袋３ｃの一部を構成する膜１７ｃが、杭本体部５の内周面１３に接触可能である。
【００３８】
上述した第４実施形態のＳＣ杭１ｄによれば、中空部１１の中央に連通管２３が配置されているので、連通管２３によって阻害されることなく、杭本体部５の周方向全域に渡って、杭本体部５の内周面１３に対し、袋３ｃの一部を構成している膜１７ｃを接触させることができる。
なお、袋３ｃにおいては、孔２９を避けるように注入口１９及び蓋２１が設けられている。
【００３９】
〔第５実施形態〕
図１０は、本発明の第５実施形態に係るＳＣ杭に適用可能な複数の袋３ｄ，３ｄを概略的に示す断面図である。
複数の袋３ｄ，３ｄの各々は、複数の袋３ｄ，３ｄを相互に連結するための連結手段を有する。連結手段は、複数の袋３ｄ，３ｄの液体充填室１５，１５を相互に連通させながら、複数の袋３ｄ，３ｄを連結可能である。
【００４０】
上述した第５実施形態のＳＣ杭によれば、連結手段によって複数の袋３ｄ，３ｄを連結することによって、杭本体部５の軸線方向にて必要な長さだけ、杭本体部５の内側に袋３ｄ，３ｄを配置し、杭本体部５の内周面１３に対し、袋３ｄ，３ｄの一部を構成している膜１７ｄ，１７ｄを接触させることができる。
【００４１】
好ましくは、連結手段は、第１連結部３１と第２連結部３３とを含む。
第１連結部３１は、相互に連結される袋３ｄ，３ｄのうち一方の袋３ｄに設けられる。
第２連結部３３は、相互に連結される袋３ｄ，３ｄのうち他方の袋３ｄに設けられる。
【００４２】
第１連結部３１は、第１円筒部３５と、第１鍔部３７と、雄ねじ部３９と、を有する。
第１円筒部３５は、中空円筒形状を有する。第１鍔部３７は、第１円筒部３５の一端に一体に設けられ、一方の袋３ｄの開口縁に液密に取り付けられている。雄ねじ部３９は、第１円筒部３５の外周面に一体に設けられている。
【００４３】
第２連結部３３は、第２円筒部４１と、第２鍔部４３と、雌ねじ部４５と、を有する。
第２円筒部４１は、中空円筒形状を有し、第１円筒部３５の外径よりも大きな内径を有する。第２鍔部４３は、第２円筒部４１の一端に一体に設けられ、他方の袋３ｄの開口縁に液密に取り付けられている。雌ねじ部４５は、第２円筒部４１の内周面に一体に設けられ、第１連結部３１の雄ねじ部３９と螺合可能である。
そして、第１円筒部３５は、第１鍔部３７から一方の袋３ｄの外側に向かって延在し、
第２円筒部４１は、第２鍔部４３から他方の袋３ｄの内側に向かって延在している。
【００４４】
上記構成によれば、第１連結部３１の第１円筒部３５が第１鍔部３７から袋３ｄの外側に向かって延び、第２連結部３３の第２円筒部４１が第２鍔部４３から袋３ｄの内側に向かって延びているので、第１連結部３１の雄ねじ部３９と第２連結部３３の雌ねじ部４５を螺合したときに、第１連結部３１の第１鍔部３７と第２連結部３３の第２鍔部４３との間の隙間を小さくすることができる。すなわち、２つの袋３ｄ，３ｄを連結したときに、２つの袋３ｄ，３ｄの隙間を小さくすることができる。このため、複数の袋３ｄ，３ｄを用いた場合でも、杭本体部５の内周面１３に対し、袋３ｄ，３ｄの一部を構成する膜１７ｄ，１７ｄを隙間無く接触させることができる。
【００４５】
好ましくは、各袋３ｄは、第１連結部３１及び第２連結部３３を有する。この場合、杭孔にＳＣ杭が設置されたときに、各袋３ｄにおいて、第１連結部３１及び第２連結部３３のうち、どちらが上方に位置していてもよい。第１連結部３１及び第２連結部３３のうち、最上方に位置するものは、注入口１９として使用可能であり、蓋２１によって閉塞される。一方、第１連結部３１及び第２連結部３３のうち、最下方に位置するものは、栓４７によって閉塞される。
【００４６】
好ましくは、各袋３ｄにおいて、第１連結部３１及び第２連結部３３のうち一方には、逆止弁４９が設けられている。逆止弁４９は、第１連結部３１又は第２連結部３３を通じて、液体充填室１５への液体の注入を許容し、且つ、液体充填室１５からの液体の流出を制限する。
上記構成によれば、逆止弁４９によって、液体充填室１５に高圧の液体を注入した後に、液体が漏れ出ることを防止することができる。
なお、杭本体部５の軸線方向にて、相互に連結される袋３ｄ，３ｄの長さは、同一であっても異なっていてもよい。また、相互に連結される袋３ｄの数も、２つに限定されることはなく、３つ以上であってもよい。
【００４７】
〔第６実施形態〕
図１１は、本発明の第６実施形態に係るＳＣ杭１ｅの構成を概略的示す縦断面図である。図１２は、図１１中のＸＩＩ−ＸＩＩ線に沿う概略的な断面図である。図１３は、ＳＣ杭１ｅに適用された膜１７ｅを有する容器５１を概略的に示す斜視図である。
【００４８】
ＳＣ杭１ｅは、袋３ａに代えて、容積可変の容器５１を有している点において、ＳＣ杭１ａと異なっている。
容器５１は、連通管２３と、一対のカラー部（鍔部）５３と、膜１７ｅとを有する。
一対のカラー部５３は環形状を有し、連通管２３の両端に嵌合されている。従って、相互に結合された連通管２３及びカラー部５３，５３は、ボビン形状を有している。容器５１が杭本体部５の中空部１１に位置された状態では、連通管２３は、一対の端板９，９間を、杭本体部５の径方向にて中空部１１の中央を通って延びている。カラー部５３，５３は、端板９，９の内縁と連通管２３の外周面との間の開口を閉塞している。例えば、カラー部５３，５３は、金属製であり、連通管２３及び端板９，９に溶接されている。
【００４９】
膜１７ｅは、一対のカラー部５３，５３同士の間に渡って延在し、連通管２３の周りを囲んでいる。そして、一対のカラー部５３，５３、連通管２３及び膜１７ｅによって液体充填室１５が区画されている。膜１７ｅは、例えば、非伸縮性の防水性を有する材料や伸縮性を有する材料によって固定され、筒状に成形されている。そして、膜１７ｅの両端が、一対のカラー部５３，５３に液密に固定されている。
【００５０】
上述した第６実施形態のＳＣ杭１ｅによれば、ソイルセメントが溜まっている杭孔にＳＣ杭１ｅを沈めたときに、カラー部５３によって中空部１１にソイルセメントが流入することを防止しながら、連通管２３を通じてソイルセメントを上方に向かって流すことができる。このため、ソイルセメントが杭孔に溜まっていても、ソイルセメントによって杭本体部５の中空部１１が満たされることが防止される。この結果として、ＳＣ杭１ｅを杭孔に沈めた後に、液体充填室１５に液体を充填し、膜１７ｅを杭本体部５の内周面１３に接触させることができる。
また、杭本体部５の径方向にて中空部１１の中央に連通管２３が配置されているので、連通管２３によって阻害されることなく、杭本体部５の周方向全域に渡って、杭本体部５の内周面１３に対し、膜１７ｅを接触させることができる。
なお、例えば、容器５１は、カラー部５３に形成された貫通孔５５を有し、貫通孔５５と連通するようにカラー部５３に注入口１９が取り付けられる。
【００５１】
〔第７実施形態〕
図１４は、第７実施形態に係るプレストレストコンクリート杭（以下、ＰＣ杭とも称する）１ｆの概略的な縦断面図である。ＰＣ杭１ｆは、外殻鋼管７を有しておらず、端板９，９間に渡って設けられた複数のＰＣ鋼棒５７を有する点において、ＳＣ杭１ａと異なっている。
ＰＣ杭１ｆにおいても、袋３ａが、杭本体部５の中空部１１に配置され、杭本体部５の内周面１３に接している。このため、杭本体部５に曲げモーメントや剪断力が作用して杭本体部５が変形したときに、杭本体部５の内周面１３から杭本体部５の一部が剥落することが抑制される。この結果として、ＰＣ杭１ｆによれば、曲げ耐力及び剪断耐力を従来よりも向上させることができる。
つまり、本発明は、ＳＣ杭に好適であるが、ＰＣ杭、高強度プレストレストコンクリート杭（ＰＨＣ杭）、鉄筋コンクリート杭（ＲＣ杭）等、コンクリートを含み、中空部１１を有する円筒形状の杭本体部５を有する既製のコンクリート杭全般に適用可能である。
【００５２】
最後に、本発明は上述した実施形態に限定されることはなく、上述した実施形態に変形を加えた形態や、これらの形態を適宜組み合わせた形態も含む。
【符号の説明】
【００５３】
１ａ，１ｂ，１ｃ，１ｄ，１ｅ    外殻鋼管付きコンクリート杭（ＳＣ杭）
１ｆ    プレストレストコンクリート杭（ＰＣ杭）
３ａ，３ｂ，３ｃ，３ｄ          袋
５            杭本体部
７            外殻鋼管
９            端板
１１          中空部
１３          内周面
１５          液体充填室
１７ａ，１７ｂ，１７ｃ，１７ｄ，１７ｅ        膜
１９          注入口
２１          蓋
２３          連通管
２５          仕切り部材
２７          押さえ部材
２９          孔
３１          第１連結部
３３          第２連結部
３５          第１円筒部
３７          第１鍔部
３９          雄ねじ部
４１          第２円筒部
４３          第２鍔部
４５          雌ねじ部
４７          栓
４９          逆止弁
５１          容器
５３          カラー部
５５          貫通孔
５７          ＰＣ鋼棒
【図１】
2018017098.tif 000003
【図２】
2018017098.tif 000004
【図３】
2018017098.tif 000005
【図４】
2018017098.tif 000006
【図５】
2018017098.tif 000007
【図６】
2018017098.tif 000008
【図７】
2018017098.tif 000009
【図８】
2018017098.tif 000010
【図９】
2018017098.tif 000011
【図１０】
2018017098.tif 000012
【図１１】
2018017098.tif 000013
【図１２】
2018017098.tif 000014
【図１３】
2018017098.tif 000015
【図１４】
2018017098.tif 000016